(57)【要約】【課題】簡易な構成で、シートを１枚ずつ任意の位置で断裁することを可能とする。【解決手段】断裁装置（Ｂ０）は、画像形成装置から１枚ずつ受け取ったシートを搬送する搬送路（３１０）と、搬送路に設けられ、搬送方向に関する断裁位置において幅方向にシートを断裁する第１断裁手段（３０５）と、搬送路に設けられ、幅方向に関する断裁位置において搬送方向にシートを断裁する第２断裁手段（３０７）と、を有する。第１断裁手段及び第２断裁手段によるシートの断裁を行わない場合、第１断裁手段及び第２断裁手段をシートに接触しないように待避させた状態で搬送路を介してシートを搬送させる。【選択図】図２
2020199635.tif 000002
【特許請求の範囲】
【請求項１】
複数のシートに画像を形成する画像形成装置と、
前記画像形成装置によって画像形成されたシートに１枚ずつ断裁処理を行う断裁装置と、
前記断裁装置を制御する制御手段と、を備え、
前記断裁装置は、
前記画像形成装置から受け取ったシートを搬送する搬送路と、
前記搬送路に設けられ、前記搬送路におけるシートの搬送方向に関する断裁位置において、前記搬送方向に直交する幅方向にシートを断裁する第１断裁手段と、
前記搬送路に設けられ、前記幅方向に関する断裁位置において、前記搬送方向にシートを断裁する第２断裁手段と、を有し、
前記制御手段は、
前記第１断裁手段及び前記第２断裁手段によるシートの断裁を行わない場合、前記第１断裁手段及び前記第２断裁手段を、前記搬送路を通過するシートに接触しないように待避させた状態で、前記搬送路を介してシートを搬送させる、
ことを特徴とする画像形成システム。
【請求項２】
前記第１断裁手段は、前記搬送方向及び前記幅方向に交差する移動方向に移動する第１切断刃を有し、
前記制御手段は、前記第１断裁手段によるシートの断裁を行わない場合、前記第１切断刃を前記移動方向に関して前記搬送路の外側に待避させる、
ことを特徴とする請求項１に記載の画像形成システム。
【請求項３】
前記第２断裁手段は、前記幅方向に移動する第２切断刃を有し、
前記制御手段は、前記第２断裁手段によるシートの断裁を行わない場合、前記第２切断刃を前記幅方向に関してシートの端部位置よりも外側に待避させる、
ことを特徴とする請求項１又は２に記載の画像形成システム。
【請求項４】
前記制御手段は、第１シートに続いて前記搬送路を通過する第２シートについて前記第２切断刃を待避させる位置を、前記幅方向における前記第１シートの幅及び前記第２シートの幅に応じて変更する、
ことを特徴とする請求項３に記載の画像形成システム。
【請求項５】
前記制御手段は、前記第２シートの幅が前記第１シートの幅より小さい場合は、前記第１シートが前記第２断裁手段を通過した際の前記第２切断刃の位置に前記第２切断刃を待機させたままで前記第２シートに前記第２断裁手段を通過させ、前記第２シートの幅が前記第１シートの幅より大きい場合は、前記第２シートの幅に応じた位置まで前記第２切断刃を前記幅方向の外側に移動させ、前記第２シートに前記第２断裁手段を通過させる、
ことを特徴とする請求項４に記載の画像形成システム。
【請求項６】
前記幅方向から見たとき、前記搬送路は、前記第１断裁手段がシートを切断する位置及び前記第２断裁手段がシートを切断する位置にわたって直線状に配置されている、
ことを特徴とする請求項１乃至５のいずれか１項に記載の画像形成システム。
【請求項７】
前記搬送路は、水平方向における前記断裁装置の一方の側面に設けられ、前記画像形成装置から排出されるシートを受け入れる受入口と、水平方向における前記断裁装置の他方の側面に設けられ、画像形成システムを構成する他の装置に向けてシートを排出する排出口と、の間で水平方向における一方側から他方側に延びており、
前記幅方向から見たとき、前記受入口の開口位置と前記排出口の開口位置を結ぶ直線上に前記第１断裁手段及び前記第２断裁手段が設けられている、
ことを特徴とする請求項１乃至６のいずれか１項に記載の画像形成システム。
【請求項８】
前記断裁装置は、断裁処理によって生じるシートの断片を回収する回収容器を備え、
前記回収容器は、前記第１断裁手段の下方の位置及び前記第２断裁手段の下方の位置にわたって設けられている、
ことを特徴とする請求項６又は７に記載の画像形成システム。
【請求項９】
前記第１断裁手段は、前記幅方向に延びる第１切断刃を用いて、前記搬送方向におけるシートの位置を固定した状態で、前記搬送方向及び前記幅方向に交差する方向に前記第１切断刃を移動させてシートを断裁するように構成され、
前記第２断裁手段は、前記幅方向に延びる回転軸を中心に回転する第２切断刃を用いて、シートを前記搬送方向に移動させながらシートを断裁するように構成され、
前記搬送方向において前記第２断裁手段は前記第１断裁手段の下流に配置される、
ことを特徴とする請求項１に記載の画像形成システム。
【請求項１０】
前記断裁装置によって断裁処理されたシートを１枚ずつ排出して積載するための積載トレイを備える、
ことを特徴とする請求項１乃至９のいずれか１項に記載の画像形成システム。
【請求項１１】
前記断裁装置から受け取ったシートに処理を施すシート処理装置をさらに備え、
水平方向における前記画像形成装置と前記シート処理装置との間に前記断裁装置が設置される、
ことを特徴とする請求項１乃至１０のいずれか１項に記載の画像形成システム。
【請求項１２】
前記画像形成装置は、シートに画像を形成する画像形成手段を備えた装置本体と、前記装置本体の上方に設置された画像読取装置とを有し、鉛直方向における前記装置本体と前記画像読取装置との間にシートを排出する排出空間が設けられており、
前記断裁装置が前記排出空間に設置される、
ことを特徴とする請求項１乃至１０のいずれか１項に記載の画像形成システム。
【請求項１３】
前記断裁装置は、前記画像形成装置から受け取ったシートを分割して複数のシート片を得るための断裁処理を実行可能である、
ことを特徴とする請求項１乃至１２のいずれか１項に記載の画像形成システム。
【請求項１４】
前記断裁装置は、前記画像形成装置から受け取ったシートの四辺をトリミングするための断裁処理を実行可能である、
ことを特徴とする請求項１乃至１３のいずれか１項に記載の画像形成システム。
【請求項１５】
画像形成装置に連結される断裁装置であって、
前記画像形成装置から１枚ずつ受け取ったシートを搬送する搬送路と、
前記搬送路に設けられ、前記搬送路におけるシートの搬送方向に関する断裁位置において、前記搬送方向に直交する幅方向にシートを断裁する第１断裁手段と、
前記搬送路に設けられ、前記幅方向に関する断裁位置において、前記搬送方向にシートを断裁する第２断裁手段と、を有し、
前記第１断裁手段及び前記第２断裁手段によるシートの断裁を行わない場合、前記第１断裁手段及び前記第２断裁手段を、前記搬送路を通過するシートに接触しないように待避させた状態で、前記搬送路を介してシートを搬送するように構成される、
ことを特徴とする断裁装置。
【発明の詳細な説明】
【技術分野】
【０００１】
本発明は、シートを断裁する断裁装置及びシートに画像を形成する画像形成システムに関する。
【背景技術】
【０００２】
複写機、プリンタ等の画像形成装置の下流側に配置され、印刷済みの記録材に綴じ処理等の処理を施す後処理装置は広く知られているが、昨今その機能は多機能化されている。特許文献１には、中綴じされた用紙束の小口部を断裁して揃えるクリープ補正機能を備えた後処理装置が記載されている。また、特許文献２には、折り処理に備えて用紙に折り筋を付ける筋入れ機構、及び、用紙の天地の余白部を断裁する天地トリマーを備えた後処理装置が記載されている。
【先行技術文献】
【特許文献】
【０００３】
【特許文献１】特開２００３−３４１９１９公報
【特許文献２】特開２０１６−１８５８４９公報
【発明の概要】
【発明が解決しようとする課題】
【０００４】
しかしながら、特許文献１において中綴じされた用紙束の小口部を断裁しているように、従来の後処理装置は、シートの四方を１枚ずつ断裁する機能を備えていなかった。そのため、例えばポスターのような単一シートのフチなし印刷物を画像形成システムの成果物として得たいという需要に応えることができなかった。また、特許文献２のものは、筋入れ機構及び天地トリマーを使用して用紙を処理するための搬送路とそうでない搬送路とが、後処理装置の内部で分岐及び合流しており、装置の構成が複雑なものとなっていた。
【０００５】
そこで、本発明は、簡易な構成で、シートを１枚ずつ任意の位置で断裁可能な断裁装置及び画像形成システムを提供することを目的とする。
【課題を解決するための手段】
【０００６】
本発明の一態様は、複数のシートに画像を形成する画像形成装置と、前記画像形成装置によって画像形成されたシートに１枚ずつ断裁処理を行う断裁装置と、前記断裁装置を制御する制御手段と、を備え、前記断裁装置は、前記画像形成装置から受け取ったシートを搬送する搬送路と、前記搬送路に設けられ、前記搬送路におけるシートの搬送方向に関する断裁位置において、前記搬送方向に直交する幅方向にシートを断裁する第１断裁手段と、前記搬送路に設けられ、前記幅方向に関する断裁位置において、前記搬送方向にシートを断裁する第２断裁手段と、を有し、前記制御手段は、前記第１断裁手段及び前記第２断裁手段によるシートの断裁を行わない場合、前記第１断裁手段及び前記第２断裁手段を、前記搬送路を通過するシートに接触しないように待避させた状態で、前記搬送路を介してシートを搬送させる、ことを特徴とする画像形成システムである。
【０００７】
本発明の他の一態様は、画像形成装置に連結される断裁装置であって、前記画像形成装置から１枚ずつ受け取ったシートを搬送する搬送路と、前記搬送路に設けられ、前記搬送路におけるシートの搬送方向に関する断裁位置において、前記搬送方向に直交する幅方向にシートを断裁する第１断裁手段と、前記搬送路に設けられ、前記幅方向に関する断裁位置において、前記搬送方向にシートを断裁する第２断裁手段と、を有し、前記第１断裁手段及び前記第２断裁手段によるシートの断裁を行わない場合、前記第１断裁手段及び前記第２断裁手段を、前記搬送路を通過するシートに接触しないように待避させた状態で、前記搬送路を介してシートを搬送するように構成される、ことを特徴とする断裁装置である。
【発明の効果】
【０００８】
本発明によれば、簡易な構成で、シートを１枚ずつ任意の位置で断裁することができる。
【図面の簡単な説明】
【０００９】
【図１】実施例１に係る画像形成システムの全体構成図。
【図２】実施例１に係るシート断裁装置の構成図。
【図３】実施例１に係る先端／後端カッタ部の斜視図。
【図４】実施例１に係る天地カッタ部の側面図。
【図５】実施例１に係るシート処理装置の構成図。
【図６】実施例１に係るシート処理装置の第２処理部の構成図。
【図７】実施例１に係る第２処理部における折り動作の様子を表す図。
【図８】実施例１に係る第２処理部の位置調整手段の構成図。
【図９】実施例１に係る画像形成システムの制御構成を示すブロック図。
【図１０】実施例１に係る画像形成システムの動作の流れを示すフローチャート。
【図１１】実施例２に係る画像形成システムの動作の流れを示すフローチャート。
【発明を実施するための形態】
【００１０】
以下、本発明を実施するための例示的な形態について、図面を参照しながら説明する。
【実施例１】
【００１１】
図１は、実施例１に係る画像形成システム１００の全体構成を概略的に示している。画像形成システム１００は、同図に示すように、画像形成装置Ａ０と、これに併設されるシート断裁装置Ｂ０及びシート処理装置Ｃ０とから構成される。画像形成装置Ａ０は、装置本体である画像形成ユニットＡ１と、画像読取装置を構成するスキャナーユニットＡ２及びフィーダーユニットＡ３とで構成される。
【００１２】
（１．画像形成装置）
画像形成ユニットＡ１は、本実施例の画像形成手段として、タンデム型中間転写方式の電子写真ユニットである画像形成部Ａ１１を搭載している。画像形成部Ａ１１は、４つの感光体１Ｙ，１Ｍ，１Ｃ，１Ｋの上に電子写真プロセスによりイエロー、マゼンタ、シアン、ブラックのトナー像を形成し、中間転写体を介して記録材に転写する。記録材としては、普通紙及び厚紙等の紙、プラスチックフィルム、布、コート紙のような表面処理が施されたシート材、封筒やインデックス紙等の特殊形状のシート材等、サイズ及び材質の異なる様なシートを使用可能である。
【００１３】
各感光体１Ｙ〜１Ｋの周囲には、一次帯電器２２１、露光装置２１８、現像装置２２３、転写帯電器２２０及びクリーナ装置２２２が配置されている。一次帯電器２２１は感光体１Ｙ〜１Ｋの表面を一様に帯電させ、露光装置２１８は印刷すべき画像データに基づいて画像形成装置Ａ０の制御部から送られる信号に基づいて感光体１Ｙ〜１Ｋを露光し、感光体表面に静電潜像を書き込む。現像装置２２３は、感光体１Ｙ〜１Ｋに各色のトナーを供給し、静電潜像をトナー像として可視化する。現像装置２２３によって現像され感光体１Ｙ〜１Ｋに担持された各色のトナー像は、転写帯電器２２０によって中間転写体としての転写ベルト２２６に多重転写されて、４色のトナー像が重ね合わされることでフルカラーのトナー像が形成される。転写ベルト２２６に転写されずに感光体１Ｙ〜１Ｋに残留した転写残トナー等の付着物は、クリーナ装置２２２によって除去される。また、感光体１Ｙ〜１Ｋの表面は、除電装置によって電荷を除去されることで次の電子写真プロセスに備える。
【００１４】
カセット２４０，２４１に格納され又は手差し給送部２５３にセットされた記録用のシートは、１枚ずつ給送パス２６６を介して給送され、給送パス２６６に配置されたレジストレーションローラ（以後、レジローラと略す）２５５に搬送される。レジローラ２５５の直前に配置されたレジセンサ２５６によりシートの通過が検知されると、適当な時間が経過した後にレジローラ２５５よりも上流の搬送ローラによるシートの搬送が中断される。その結果、シートは停止しているレジローラ２５５に突き当たり、搬送方向におけるシートの先端がレジローラ２５５のニップに倣って搬送方向に垂直になるように先端位置が固定されることで、シートの斜行が補正される。この斜行補正処理（レジ取り処理とも呼ばれる）の後、レジローラ２５５を起動させることにより、シートは二次転写装置２３１へ供給される。
【００１５】
二次転写装置２３１では、上述のように給送されるシートに対し、転写ベルト２２６に担持されているトナー像が二次転写される。未定着のトナー像が転写された状態のシートは、定着搬送ベルト２３０を介して、定着装置２３４へと搬送される。定着装置２３４は、シートを挟持する回転体対と、シート上のトナー像を加熱するハロゲンランプ等の熱源とを有し、トナー像に熱及び圧力を付与して溶融させることで定着処理を行う。定着装置２３４を通過したシートは、そのまま排出される場合、排出フラップ２５７により排出パス２５８に案内されてシート断裁装置Ｂ０に排出される。
【００１６】
なお、画像形成ユニットＡ１は、カセット２４０，２４１及び手差し給送部２５３よりシートを連続的に給送させることが可能である。この場合、先行するシートのシート長を考慮し、シートが重なり合わないような最短の間隔でカセット２４０，２４１又は手差し給送部２５３からのシートの給送タイミング及び搬送速度が制御される。レジローラ２５５は、先行シートを二次転写装置２３１に送り出した後、クラッチからの駆動伝達を停止されることによって一時停止して後続シートのレジ取りに備える。
【００１７】
シートの両面に画像を形成する場合の動作について説明する。上述のようにシートの第１面に画像形成された後、シートの第２面に画像を形成する場合には排出フラップ２５７によりシートは裏面パス２５９に案内される。裏面パス２５９に配置された反転ローラ２６０はシートを一旦反転パス２６１に搬送し、その後逆転することでシートをスイッチバックさせて両面パス２６３に送り込む。
【００１８】
続いてシートは両面パス２６３を介して再給送ローラ２６４に向けて搬送される。再給送ローラ２６４の直前の再給送センサ２６５によりシートの通過が検知されると、両面パス２６３におけるシートの搬送が中断され、シートは停止状態の再給送ローラ２６４に突き当たった状態で一時停止する。これにより、第１面に対するトナー像の転写から再給送ローラ２６４への到達までに生じたシートの斜行が補正される（再給送レジ取り）。その後、再給送ローラ２６４を起動させることにより、シートは第１面と第２面とが逆転した状態で再度、レジローラ２５５に到達し、二次転写装置２３１及び定着装置２３４を通過することで第２面に画像を形成される。そして、両面に画像形成された状態のシートは、排出フラップ２５７により排出パス２５８に案内され、シート断裁装置Ｂ０に排出される。
【００１９】
上記画像形成ユニットＡ１に設けられた画像形成部Ａ１１は画像形成手段の一例であり、例えば感光体に形成したトナー像を中間転写体を介さずにシートに転写する直接転写方式の電子写真ユニットを用いてもよい。また、電子写真方式に限らず、インクジェット方式の印刷機構やオフセット印刷機構を画像形成手段として採用してもよい。
【００２０】
画像形成ユニットＡ１の上部に設置されるスキャナーユニットＡ２は、原稿を載置するプラテン１７と、プラテン１７に沿って往復動するキャリッジ１８とを備える。スキャナーユニットＡ２は、さらに電荷結合素子等の光電変換手段１９と、キャリッジ１８によるプラテン１７上の原稿からの反射光を光電変換手段１９に案内する縮小光学系２０とを備える。光電変換手段１９は、縮小光学系２０からの光学出力を画像データに光電変換して、電気信号として画像形成ユニットＡ１へ出力する。
【００２１】
また、スキャナーユニットＡ２は、フィーダーユニットＡ３から送られてくるシートを読み取るために、走行プラテン２１を備えている。フィーダーユニットＡ３は、給送トレイ２２と、給送トレイ２２から送り出したシートを走行プラテン２１に案内する給送経路２３と、走行プラテン２１を通過した原稿を収納する排出トレイ２４で構成される。給送トレイ２２から１枚ずつ給送される原稿は、走行プラテン２１を通過する際に、キャリッジ１８と縮小光学系２０とで光学的に走査され、光電変換手段１９により光電変換された画像データが画像形成ユニットＡ１に送られる。
【００２２】
（２．シート断裁装置）
図２は、画像形成装置Ａ０によって画像形成されたシートを断裁するシート断裁装置Ｂ０の構成を示している。シート断裁装置Ｂ０は、先端／後端カッタ部３０５、天地カッタ部３０７、搬送パス３１０、及び屑ボックス３１９を備えている。先端／後端カッタ部３０５は本実施例の第１断裁手段であり、天地カッタ部３０７は本実施例の第２断裁手段である。先端／後端カッタ部３０５及び天地カッタ部３０７は、シート断裁装置Ｂ０においてシートの断裁処理を行う断裁部Ｂ１を構成している。
【００２３】
先端／後端カッタ部３０５は、搬送パス３１０におけるシートの搬送方向（図中左方向）に対して垂直なシートの幅方向（画像形成時の主走査方向）にシートを断裁する。先端／後端カッタ部３０５は、搬送方向におけるシートの先端部又は後端部をトリミングする他、シートを所定の長さで分割することもできる。
【００２４】
天地カッタ部３０７は、搬送パス３１０におけるシートの搬送方向（画像形成時の副走査方向）にシートを断裁する。天地カッタ部３０７は、後述のシート処理装置Ｃ０によって中折り処理を施した際の天部及び地部をトリミングする他、カッタ刃の交換により、シートを所定の幅で分割することもできる。
【００２５】
本実施例の搬送路である搬送パス３１０は、先端／後端カッタ部３０５によるシートの切断が行われる位置Ｘ１から天地カッタ部３０７によるシートの切断が行われる位置Ｘ２までの水平方向の範囲にわたって、直線状に延びている。言い換えれば、これらの位置Ｘ１，Ｘ２を結んだ仮想線に対して、搬送パス３１０の上側又は下側のガイド面を構成する部材が交差しない配置となっている。従って、先端／後端カッタ部３０５及び天地カッタ部３０７は、搬送パス３１０において平面的に伸びた状態のシートを断裁することができる。このことは、剛度の高い紙について断裁精度の向上や搬送負荷の低減を図ることができる利点がある。搬送パス３１０は、実際にはシート断裁装置Ｂ０の枠体に支持されるガイド部材並びに先端／後端カッタ部３０５及び天地カッタ部３０７に設けられたガイド部材によって形成されている。
【００２６】
本実施例のシート断裁装置Ｂ０は水平方向における画像形成装置Ａ０とシート処理装置Ｃ０との間に設置されており（図１）、搬送パス３１０は水平方向における一方側から他方側（図中右側から左側）に向かって延びている。搬送パス３１０は、画像形成ユニットＡ１から画像形成済みのシートが排出される排出口に対向する受入口３１２と、シート処理装置Ｃ０がシートを受け入れる受入口に対向する排出口３１３とを備えている。受入口３１２は水平方向におけるシート断裁装置Ｂ０の一方側の側面に設けられ、排出口３１３は水平方向におけるシート断裁装置Ｂ０の他方側の側面に設けられている。そして、略水平方向に延びる搬送パス３１０に２つのカッタ部が配置されることから、受入口３１２の開口位置Ｚｉｎと排出口３１３の開口位置Ｚｏｕｔとを結んだ直線上に先端／後端カッタ部３０５及び天地カッタ部３０７が位置している。ただし、受入口３１２及び排出口３１３の開口位置Ｚｉｎ、Ｚｏｕｔとは、各開口部をシートが通常の姿勢で通過するときの通過位置である。
【００２７】
搬送パス３１０には、先端／後端カッタ部３０５及び天地カッタ部３０７の他に、シートを搬送する搬送手段として、入口ローラ３０２、レジローラ（レジストレーションローラ）３０３、中間ローラ３０６及び排出ローラ３０８が設けられている。また、搬送パス３１０には、レジローラ３０３と断裁部Ｂ１との間に、横レジ検知センサ３０４が配置されている。さらに、搬送パス３１０の受入口３１２の付近にはシートの搬入を検知する入口センサ３０１が配置され、排出口３１３の付近にはシートの搬出を検知する出口センサ３０９が配置されている。
【００２８】
画像形成ユニットＡ１の排出パス２５８（図１）に設けられた排出ローラによって１枚ずつ排出されるシートは、搬送パス３１０の受入口３１２を介してシート断裁装置Ｂ０の入口ローラ３０２に受け取られ、レジローラ３０３へ向けて搬送される。このとき、入口センサ３０１が各シートの通過を検知する。
【００２９】
入口センサ３０１がシートの通過を検知した時点から所定時間が経過した時に入口ローラ３０２はシートの搬送を一時停止する。その結果、シートは停止しているレジローラ３０３に突き当たり、シート先端がレジローラ３０３のニップ部に倣うようにして搬送方向に対して垂直に固定されることで、後続シートの斜行補正が行われる（レジ取り）。その後、レジローラ３０３を起動させることにより、シートは先端／後端カッタ部３０５へ搬送される。
【００３０】
図３は先端／後端カッタ部３０５の斜視図である。先端／後端カッタ部３０５は、シートの搬送方向と直交する幅方向に延びるギロチン刃３０５ａを有し、駆動手段によりギロチン刃３０５ａを対向刃３０５ｂに対して上下に移動させることにより、搬送パスのシートを幅方向に沿って断裁する。つまり、本実施例の第１切断刃であるギロチン刃３０５ａの移動方向は上下である。シートの断裁位置は、後述する画像形成装置Ａ０の制御部からのシート断裁装置Ｂ０に通知される断裁量の指示情報に基づいて決定される。本実施例では、図２に示すレジローラ３０３及び中間ローラ３０６が断裁量に応じた送り量で搬送した後に一旦シートを停止させ、その位置で断裁を行う。先端／後端カッタ部３０５によりシートが幅方向に断裁されることで、搬送パスにおける搬送方向（シート処理装置Ｃ０で中折りされたシートの天地方向）に測った場合のシートの長さが定まる。
【００３１】
１枚のシートに対して複数回の断裁を行う際は、レジローラ３０３及び中間ローラ３０６の駆動及び一時停止を繰り返しながらギロチン刃３０５ａを複数回上下に移動させて断裁を行う。また、搬送方向における切断後のシートの長さが短い場合、必要に応じて、天地カッタ部３０７によってシートの天地部を断裁した後に中間ローラ３０６によってシートを逆送し、ギロチン刃３０５ａによってシートの後端部を断裁する。
【００３２】
先端／後端カッタ部３０５によって断裁されたシートは、中間ローラ３０６によって天地カッタ部３０７に搬送される。
【００３３】
図４は天地カッタ部３０７を搬送方向の下流側（図２の矢印Ｘの視点）から見た図である。天地カッタ部３０７は、円盤状のカッタ刃３０７ａと突き当てコマ３０７ｂと有する。本実施例の第２切断刃であるカッタ刃３０７ａは、回転しながらシートを切断する切断刃である。カッタ刃３０７ａ及び突き当てコマ３０７ｂは、それぞれ回転軸３０７ｃ、３０７ｄによって回転可能に支持され、かつ、搬送パス内で互いに当接している。シートを断裁する際は、カッタ刃３０７ａが付勢バネ３０７ｅによって突き当てコマ３０７ｂに付勢された状態でカッタ刃３０７ａ及び突き当てコマ３０７ｂの噛合い部にシートを受け入れ、シートを搬送させながら連続的に断裁する。天地カッタ部３０７によりシートが断裁方向に断裁されることで、搬送パスにおける幅方向（シート処理装置Ｃ０で中折りされたシート束の天地方向）に測った場合のシートの長さが定まる。
【００３４】
天地カッタ部３０７において、カッタ刃３０７ａ及び突き当てコマ３０７ｂの組は、幅方向における少なくとも１箇所に配置される。図示した構成例では、２組のカッタ刃３０７ａ及び突き当てコマ３０７ｂが幅方向における搬送パスのセンター位置に対して一方側と他方側に配置されている。また、各組のカッタ刃３０７ａ及び突き当てコマ３０７ｂは駆動手段により幅方向に移動可能に構成される。ただし、変形例として、１つ又は３つ以上のカッタ刃を配置してもよく、カッタ刃が幅方向に移動しない構成としてもよい。また、天地カッタ部３０７をシート断裁装置Ｂ０に対して着脱可能とするとともに、カッタ刃の配置が異なる複数タイプの天地カッタ部を用意して、ユーザ又はサービスマンが使用目的に応じて交換するようにしてもよい。
【００３５】
図２において、先端／後端カッタ部３０５の上流に配置される横レジ検知センサ３０４は、搬送パス３１０を搬送されるシートの幅方向における端部位置を検知する。天地カッタ部３０７による断裁処理においては、横レジ検知センサ３０４によって検出されたシートの端部位置を基準として断裁位置が決定される。つまり、カッタ刃３０７ａ及び突き当てコマ３０７ｂが、後述する画像形成装置Ａ０の制御部から通知される断裁量の指示情報と、横レジ検知センサ３０４によって検出されたシートの端部位置とに基づいて断裁位置に移動し、シートの天地部を断裁する。天地カッタ部３０７によって断裁されたシートは、排出ローラ３０８によってシート処理装置Ｃ０に排出される。
【００３６】
以上の説明では先端／後端カッタ部３０５及び天地カッタ部３０７によってシートを断裁する場合の動作を説明したが、シートの断裁を行わない場合には、シートは搬送パス３１０を搬送されてシート処理装置Ｃ０に受け渡される。即ち、搬送パス３１０は、断裁部Ｂ１によって断裁されるシートの搬送経路であると共に、断裁処理を行わないシートの搬送経路でもある。断裁処理を行わない場合に先端／後端カッタ部３０５及び天地カッタ部３０７の切断刃をシートの通過領域から待避させる動作については後述する。
【００３７】
ところで、先端／後端カッタ部３０５及び天地カッタ部３０７による断裁処理に伴って、画像形成ユニットＡ１からシート断裁装置Ｂ０が受け取ったシートからは、成果物を構成するシート片と、成果物を構成しない不要な断片（切り屑）が発生する。このシート屑は、断裁部Ｂ１の下方に配置された回収容器としての屑ボックス３１９に落下して回収される。本実施例では略水平方向に先端／後端カッタ部３０５及び天地カッタ部３０７が隣接して配置されるため、屑ボックス３１９は２つのカッタ部に対して共通化することができる。
【００３８】
なお、図１に示す本実施例の画像形成システム１００では、シート断裁装置Ｂ０から排出されるシートは、さらに後処理を行うか否かに関わらず全てシート処理装置Ｃ０に受け渡される。しかしながら、シート断裁装置Ｂ０に排出トレイを設置して、排出口３１３から排出されるシートを画像形成システムの成果物として当該排出トレイに積載する構成とすることも可能である。
【００３９】
（３．シート処理装置）
次に、シート処理装置Ｃ０の構成及び動作について説明する。図５は、シート断裁装置Ｂ０から送られてくるシートを後処理するシート処理装置Ｃ０の構成を示している。シート処理装置Ｃ０は、シート断裁装置Ｂ０からのシートを導入するための搬入口２６を設けた装置ハウジング２７を備える。装置ハウジング２７は、搬入口２６をシート断裁装置Ｂ０の排出口に連通させるように、位置を合わせて配置される。
【００４０】
シート処理装置Ｃ０は、搬入口２６から導入されるシートを搬送するシート搬入経路２８と、シート搬入経路２８から分岐される第１排出パス３０、第２排出パス３１及び第３排出パス３２と、第１経路切換手段３３と、第２経路切換手段３４とを備える。第１及び第２経路切換手段３３、３４は、それぞれシート搬入経路２８を搬送されるシートの搬送方向を変更するフラップ状のガイドで構成されている。
【００４１】
第１経路切換手段３３は、図示しない駆動手段によって、搬入口２６からのシートを第１排出パス３０及び第２排出パス３１の方向に案内するモードと、第３排出パス３２に案内するモードとに切り換えられる。第１排出パス３０と第２排出パス３１とは、一旦第１排出パス３０に導入されたシートを、搬送方向を反転させて第２排出パス３１にスイッチバック搬送することが可能なように連通している。
【００４２】
第２経路切換手段３４は、シート搬入経路２８を搬送されるシートの搬送方向に関して、第１経路切換手段３３の下流側に配置されている。第２経路切換手段３４は、同じく図示しない駆動手段によって、第１経路切換手段３３を通過したシートを第１排出パス３０に導入するモードと、一旦第１排出パス３０に導入されたシートを第２排出パス３１にスイッチバック搬送するモードとに切り換えられる。
【００４３】
シート処理装置Ｃ０は、それぞれ異なる後処理を行う第１処理部Ｃ１と第２処理部Ｃ２と第３処理部Ｃ３とを備える。
【００４４】
第１処理部Ｃ１は、シート搬入経路２８を搬送されるシートの搬送方向に関して、第１排出パス３０の下流端の排出口３５から搬出された複数のシートを集積し、部単位でシート束を揃えして綴じ処理する綴じ処理部である。第１処理部Ｃ１によって処理されたシート束は、装置ハウジング２７の外側に設けられた積載トレイ３６に排出される。第１処理部Ｃ１は、シート又はシート束を搬送するシート搬送装置３７と、シート束を綴じ処理する綴じ処理ユニット３８とを備える。第１排出パス３０の下流端には、排出口３５からシートを排出するため、及び第１排出パス３０から第２排出パス３１にスイッチバック搬送するための排出ローラ対３９が設けられている。
【００４５】
第２処理部Ｃ２は、第２排出パス３１からスイッチバック搬送されてくる複数のシートをシート束にし、該シート束を綴じ処理した後、折り処理を行う。第２処理部Ｃ２は、搬入されたシート又はシート束を折り処理する折り処理装置４１と、第２排出パス３１に搬送されるシートのシート搬送方向に沿って該折り処理装置の直ぐ上流側に配置されて、シート束を綴じ処理する綴じ処理ユニット４２とを備える。折り処理されたシート束は、排出ローラ４３によって、装置ハウジング２７の外側に設けられた積載トレイ４４に排出される。
【００４６】
第３処理部Ｃ３は、第３排出パス３２から送られてくるシートを、搬送方向に直交する方向に所定量オフセットさせて集積するグループと、オフセットさせることなく集積するグループとに区分けするジョグ仕分けを行う。ジョグ仕分けしたシートは、装置ハウジング２７の外側に設けられた積載トレイ４６に排出され、オフセットされたシート束とオフセットされないシート束とが積み上げられる。
【００４７】
図６は、第２処理部Ｃ２の全体構成を概略的に示している。上述したように、第２処理部Ｃ２は、第２排出パス３１から搬入され、集積して部揃えしたシート束を２つ折りに折り処理する折り処理装置４１と、折り処理前のシート束を綴じ処理する綴じ処理ユニット４２とを備える。図示される綴じ処理ユニット４２は、ステープル針を打ち込んでシート束を綴じるステープル装置である。
【００４８】
折り処理装置４１にシートを搬入するために、第２排出パス３１にシート搬送路４８が接続されている。第２排出パス３１からシート積載トレイ５１に搬送されるシートの搬送方向に関して、シート搬送路４８の下流側には、該シート搬送路の一部を構成するシート積載トレイ５１が、折り処理するシートを位置決めして積載するために設けられている。シート積載トレイ５１は、第２排出パス３１に配置されるローラによる搬送手段から搬送されたシートを収容する処理トレイを構成している。そして、シート積載トレイ５１の直ぐ上流側には、シート搬送路４８を挟んで綴じ処理ユニット４２とその針受け部４２ａとが、対向位置に設けられている。
【００４９】
シート積載トレイ５１の一方の側には、折りローラ対５２が、シート積載トレイ５１に積載されるシート又はシート束の一方の面に対向するように配設されている。折りローラ対５２は、互いにローラ面を圧接させた折りローラ５３，５４からなり、その圧接部５５をシート積載トレイ５１に向けて配置されている。折りローラ５３，５４は、シート積載トレイ５１に搬入されるシートの搬入方向に沿って上流側と下流側に、それぞれシート積載トレイ５１との間隔を略等しくして並置されている。折りローラ５３，５４は二つ折りにされたシートをニップして、第２排出パス３１からシート積載トレイ５１に搬送されるシートの搬送方向に関して交差する方向の折り目を形成する。なお、シートの集積は、後続のシートが折りローラ５３、５４側に集積される関係で集積される。
【００５０】
シート積載トレイ５１を挟んで折りローラ対５２の反対側には、突き押し部材としての折りブレード５６が配置されている。折りブレード５６は、その先端を折りローラ対５２の圧接部５５に向けて、ブレードキャリア５７に担持されている。ブレードキャリア５７は、シート積載トレイ５１を略直角に横断する向きに、即ち第２排出パス３１からシート積載トレイ５１に搬送されるシートの搬送方向と交差する向きに、走行可能に設けられている。
【００５１】
図６における前後方向、即ち折りローラ対５２の軸線方向において、ブレードキャリア５７を挟んでその両側から対向するように、１対の互いに鏡面対称の偏心カムからなるカム体５８（図中には、後側の一方のみを表示）が設けられている。カム体５８は、その偏心位置に設けられた回転軸５９を中心に、図示しない駆動モータ等の駆動手段によって回動する。カム体５８には、その外周縁に沿ってカム溝６０が形成されている。
【００５２】
カム溝６０は、回転軸５９からの半径が最大となる第１カム面６０ａと、その周方向両側に半径が第１カム面６０ａより小さい第２カム面６０ｂとからなるカムプロフィルを有する。ブレードキャリア５７には、カムフォロワとして、カム溝６０に摺動自在に嵌合するカムピン（図示せず）が設けられている。
【００５３】
ブレードキャリア５７は、駆動モータによりカム体５８を回転させると、カムプロフィルに従ってシート積載トレイ５１に接近又は離反する向きに走行する。これによって、図６に示すように初期位置と最大突き押し位置との間で、両位置を結ぶ突き押し経路Ｐに沿って折りブレード５６を直線状に進退自在に移動させることができる。ただし、初期位置とは折りブレード５６の先端がシート搬送路４８に進入していない位置であり、最大突き押し位置とは折りローラ対５２の圧接部５５に挟まれる位置である。そして、折りブレード５６がシートを圧接部５５に突き刺すことでシートが折り込まれる。したがって、折りローラ対５２と折りブレード５６とは、折り手段を構成している。
【００５４】
シート積載トレイ５１の下端には、搬入されたシートの先端を当接させて規制するための規制ストッパ６４が配置されている。規制ストッパ６４は、載置部であるシート積載トレイ５１に載置されるシートの搬送方向側の端縁に当接して、該シートを規制して載置位置に保持する規制手段として機能する。そして、この規制ストッパ６４は、シート昇降機構６５によって、シート積載トレイ５１に沿って昇降可能に設けられている。
【００５５】
シート昇降機構６５は、シート積載トレイ５１の裏側に該シート積載トレイに沿ってその上端及び下端付近に配置された１対のプーリと、これらのプーリ６６，６７に巻き掛けられた伝動ベルト６８とからなるコンベアベルト機構である。規制ストッパ６４は、伝動ベルト６８上に固定されている。駆動側のプーリ６６又は６７を駆動モータ等の駆動手段により回転させることによって、規制ストッパ６４が、図６に示す下端位置と所望の高さ位置との間を昇降し、それによりシート積載トレイ５１に沿ってシート又はシート束を移動させることができる。
【００５６】
シート昇降機構６５は、シート又はシート束を規制ストッパ６４に支持されている載置位置から折り処理位置まで移送させる。シート昇降機構６５は、シートの搬送方向での長さ寸法が所定の値を超える場合は、規制ストッパ６４を上昇させることで折り処理位置に移送するが、長さ寸法が所定の値以下の場合には、規制ストッパを下降させることで折り処理位置に移送する。シート昇降機構６５は、規制ストッパ６４に支持されたシート又はシート束を折り処理位置に移動する移動手段を構成している。
【００５７】
折り処理装置４１はパドルホイール７７を備えている。このパドルホイール７７は、シート積載トレイ５１内に導入されてくるシートを規制ストッパ６４まで搬送することで、該シートに対して搬送方向の位置調整を行う位置調整手段として機能し、図示しないモータ等の駆動手段によって駆動する。
【００５８】
図７は、折りブレード５６によりシート積載トレイ５１内のシート束Ｓｂを２つ折りに折り曲げて、折りローラ対５２の圧接部５５に押し込んだ状態を示している。このとき、シート束Ｓｂの最も外側即ち折りローラ対５２側のシートＳ０は、シート案内部材７１の傾斜面７６に案内されて、圧接部５５に送り込まれる。
【００５９】
折りローラ５３，５４の回転軸８３，８４は、共通の駆動モータ等の駆動手段によって回転駆動される。それにより、互いに第１ローラ面８１ａ，８２ａ及び第２ローラ面８１ｂ，８２ｂの回転位置を常に同期させることができる。回転軸８３，８４は、カム体５８と共通の駆動モータによって駆動することもできる。
【００６０】
位置調整手段は、図８に示すように、図中矢印で示すシート搬入方向に直交する向きに離隔して対称に配置された一対の位置調整部材であるシート側縁調整部材１２１，１２２を有する。シート側縁調整部材１２１，１２２は、シート搬入方向に直交する向きに互いに接近離反し得るように、それぞれ上端１２１ａ，１２２ａ及び下端１２１ｂ，１２２ｂが、装置ハウジング２７側に固定されたガイド部によって移動可能に保持されている。
【００６１】
シート側縁調整部材１２１，１２２は、シート搬入方向に沿って延長する断面コ字形のフレーム部材からなり、コ字形の開口部を互いに対向させて平行に配設されている。シート側縁調整部材１２１，１２２のコ字形の内面は、シート積載トレイ５１内のシートの側縁をシート搬入方向に直交する向きに、即ちシートの幅方向に整合させて位置調整するためのシート側縁規制面１２３，１２４を画定する。特に、断面コ字形のシート側縁規制面１２３，１２４は、シート積載トレイ５１内のシートの側縁をシート幅方向だけでなく、シートの厚み方向即ちシート積載トレイ５１（シート搬送路４８）の厚み方向にも、規制することができる。なお、本実施例では、シート側縁調整部材１２１，１２２の両方が移動可能としているが、一方のみ移動可能に構成しても、シートの端縁方向に沿った位置調整を行うことができる。
【００６２】
各シート側縁調整部材１２１，１２２には、長手方向中央付近の折りブレード５６側の外面に、それぞれ他方のシート側縁調整部材に向けて直線状に延長するガイドレール部材１２５，１２６が一体に固定されている。ガイドレール部材１２５，１２６は、シート搬入方向に所定の間隔をもって、図中上下に並列に、少なくともそれぞれの先端側が部分的に重なるように配置されている。
【００６３】
ガイドレール部材１２５，１２６の上下に互いに対向する側辺には、それぞれラック１２７，１２８が、シート側縁調整部材１２１，１２２が互いに接近離反する際に、シート搬入方向に一定の間隔を保持するように形設されている。ラック１２７，１２８には、装置ハウジング２７側に回動自在に軸支された共通のピニオン１２９が同時に噛合している。
【００６４】
ピニオン１２９には、それと同軸にかつ折りブレード５６側に、従動側のプーリ１３０が一体回動可能に装着されている。プーリ１３０には、装置ハウジング２７側に固定されたシート側縁整合用のモータ１３１の出力軸に連結された駆動側のプーリ（図示せず）との間で動力伝達可能に、伝動ベルト１３２が巻き掛けられている。
【００６５】
従って、シート側縁調整部材１２１，１２２は、モータ１３１を駆動してピニオン１２９を回転させることによって、シートの幅方向に互いに接近又は離反するように、同期して等しい距離を移動する。これにより、シート積載トレイ５１内のシートの位置がシート幅方向にずれている場合には、該シートをその側辺にシート側縁規制面１２３又は１２４を当接させて、所望の調整位置に移動させることができる。
【００６６】
（４．画像形成システムの制御）
次に、画像形成システム１００の制御構成と動作の流れについて説明する。図９は画像形成装置Ａ０、シート断裁装置Ｂ０、シート処理装置Ｃ０の制御ブロック図である。画像形成装置Ａ０、シート断裁装置Ｂ０、シート処理装置Ｃ０は、各装置の動作を制御する制御部として、それぞれ画像形成制御部Ａ０１、断裁制御部Ｂ０１、後処理制御部Ｃ０１を有している。
【００６７】
これら装置ごとの制御部（Ａ０１，Ｂ０１，Ｃ０１）は電気的に接続されて相互に通信可能に構成されており、協働して画像形成システム１００の動作を制御する。つまり、互いに連携する画像形成制御部Ａ０１、断裁制御部Ｂ０１及び後処理制御部Ｃ０１は、シート断裁装置Ｂ０を含む画像形成システム１００の動作を制御する制御手段として機能する。
【００６８】
画像形成制御部Ａ０１は、プログラムを実行する実行手段としての演算装置と、情報を記憶する記憶手段としてのメモリとを有する。演算装置は、メモリに格納されたプログラムを読み出して実行し、画像形成ユニットＡ１の各部の動作を制御する。メモリは、読取専用メモリ又は磁気ディスクのような不揮発性の記憶媒体及びランダムアクセスメモリのような揮発性の記憶媒体を含み、プログラム及びデータの保管場所となると共に演算装置がプログラムを実行する際の作業スペースとなる。このようなメモリは、画像形成装置を制御するためのプログラムを格納した非一過性の記憶媒体の例である。
【００６９】
断裁制御部Ｂ０１及び後処理制御部Ｃ０１のそれぞれについても、プログラムを実行する実行手段としての演算装置と、情報を記憶する記憶手段としてのメモリとを備えている。
【００７０】
断裁制御部Ｂ０１は、電源Ｂ０２、搬送駆動部Ｂ０３、先端／後端カッタ駆動部Ｂ０４及び天地カッタ駆動部Ｂ０５に指令信号を送って各部の動作を制御する。電源Ｂ０２は、搬送駆動部Ｂ０３、先端／後端カッタ駆動部Ｂ０４及び天地カッタ駆動部Ｂ０５を動作させるための電力を供給する。搬送駆動部Ｂ０３は、シート断裁装置Ｂ０に配置された搬送ローラ（例えば、入口ローラ３０２やレジローラ３０３）を駆動する駆動モータ及びその駆動回路を含む。先端／後端カッタ駆動部Ｂ０４は、先端／後端カッタ部３０５のギロチン刃３０５ａを上下に移動させる駆動モータ及びその駆動回路を含む。天地カッタ駆動部Ｂ０５は、天地カッタ部３０７のカッタ刃の回転駆動及び幅方向の移動を行う駆動モータ及びその駆動回路を含む。
【００７１】
後処理制御部Ｃ０１は、電源Ｃ０２、第１処理制御部Ｃ０３及び第２処理制御部Ｃ０４に指令信号を送って各部の動作を制御する。電源Ｃ０２は、第１処理制御部Ｃ０３及び第２処理制御部Ｃ０４を動作させるための電力を供給する。第１処理制御部Ｃ０３は、第１処理部Ｃ１を動作させるための１つ以上の駆動モータ及びその駆動回路を含む。第２処理制御部Ｃ０４は、第２処理部Ｃ２を動作させるための複数の駆動部を有する。このうち、綴じ駆動部Ｃ０５は綴じ処理ユニット４２を駆動する駆動モータ及びその駆動回路を含む。折り駆動部Ｃ０６は、折りブレード５６を動作させるカム体５８及び折りローラ対５２を駆動する駆動モータ及びその駆動回路を含む。整合駆動部Ｃ０７は、シート側縁整合用の上記のモータ１３１及びその駆動回路を含む。規制ストッパ昇降駆動部Ｃ０８は、シート昇降機構を駆動する駆動モータ及びその駆動回路を含む。
【００７２】
また、断裁制御部Ｂ０１及び後処理制御部Ｃ０１は、画像形成制御部Ａ０１から通知される情報に基づいて、画像形成装置Ａ０から受け渡されるシートに対する処理の内容及び処理を実行するタイミングを変更する。画像形成制御部Ａ０１から通知される情報には、実行中のジョブで使用するシートのサイズ情報、坪量情報、紙種情報及び枚数情報並びにシート毎の断裁量が含まれる。また、画像形成制御部Ａ０１は、ジョブの実行を開始した時刻、各シートが画像形成装置Ａ０から排出される見込み時刻、ジョブの中断を表す信号等、シート断裁装置Ｂ０及びシート処理装置Ｃ０が動作タイミングを決定するために必要な情報も通知する。
【００７３】
図１０は、画像形成システム１００における動作の流れを示すフローチャートである。以下、複数枚のシートに対して連続して画像形成し、シートを断裁し、折り処理を行ってシート束として排出するジョブを実行する動作の手順を説明する。
【００７４】
まず、画像形成装置Ａ０は記録材として用いるシートを給送して画像を形成する動作を開始し（Ｆ１）、画像形成ユニットＡ１の排出パスから排出する（Ｆ２）。シート断裁装置Ｂ０は、画像形成装置Ａ０から１枚ずつ排出されるシートを受け入れて搬送パス３１０を介して搬送する（Ｆ３）。
【００７５】
これ以降、シート断裁装置Ｂ０による動作（Ｆ４〜Ｆ１８）は、画像形成制御部Ａ０１から断裁制御部Ｂ０１が指示される断裁量の値に応じて異なったものとなる。
【００７６】
シート先端部の断裁量（副走査方向のうち搬送方向下流側の裁ち代）が０でない場合（Ｆ４）、先端／後端カッタ部３０５によって搬送方向におけるシートの先端部を断裁する処理が行われる。この場合、図２に示すレジローラ３０３によってレジ取りが行われた後（Ｆ５）、レジローラ３０３が断裁量に応じた送り量でシートを搬送した後にシートの搬送を停止する（Ｆ７）。そして、ギロチン刃３０５ａによって幅方向にシートを断裁することで、指示された断裁量に対応する断裁位置でシートの後端部が断裁される（Ｆ８）。シートの断裁が終わると、再びシートの搬送が再開される（Ｆ９）。
【００７７】
一方、シート先端部の断裁量が０に設定されている場合（Ｆ４）、つまりシート先端部の断裁処理を行わない旨の指示が与えられている場合、レジローラ３０３によるレジ取りは行わずに、シートが停止することなく天地カッタ部３０７へ搬送される（Ｆ６）。
【００７８】
シート先端部の断裁に関するＦ４〜Ｆ９の処理の後、シートの天地部の断裁量（主走査方向の裁ち代）に応じて天地カッタ部３０７による断裁処理が行われる。天地部の断裁量が０でない場合（Ｆ１０）、図４のカッタ刃３０７ａが断裁量に応じた位置までシートの両端位置の内側に侵入した状態で、シートに天地カッタ部３０７を通過させる（Ｆ１１）。これにより、断裁量に対応する断裁位置で搬送方向に沿ってシートが断裁される。
【００７９】
一方、天地部の断裁量が０に設定されている場合（Ｆ１０）、つまり天地部の断裁処理を行わない旨の指示が与えられている場合、図４のカッタ刃３０７ａをホームポジションに待避させた状態でシートが搬送される（Ｆ１２）。このホームポジションとは、幅方向に関してシートが通過する領域の外側に、搬送パス３１０を通過するシートに接触することがないように設定された位置である。
【００８０】
シートの天地部の断裁に関するＦ１０〜Ｆ１１の処理の後、シート後端部の断裁が行われる。シート後端部の断裁量（副走査方向のうち搬送方向上流側の裁ち代）が０でない場合（Ｆ１３）、先端／後端カッタ部３０５によって搬送方向におけるシートの後端部を断裁する処理が行われる。この場合、断裁量に応じた送り量でシートを移動させた後にシートの搬送を停止する（Ｆ１４）。そして、ギロチン刃３０５ａによって幅方向にシートを断裁することで、指示された断裁量に対応する断裁位置でシートの後端部が断裁される（Ｆ１５）。シートの断裁が終わると、再びシートの搬送が再開される（Ｆ１７）。
【００８１】
一方、シート後端部の断裁量が０に設定されている場合（Ｆ１３）、つまりシート後端部の断裁処理を行わない旨の指示が与えられている場合、シートが停止することなく天地カッタ部３０７へ搬送される（Ｆ１６）。
【００８２】
シート断裁装置Ｂ０における断裁処理が終了し、シートはシート断裁装置Ｂ０から排出され（Ｆ１８）、シート処理装置Ｃ０によって受け取られる（Ｆ１９）。中折り処理を行う場合（Ｆ２０）、シート処理装置Ｃ０の内部でシートは第２処理部Ｃ２に搬送され、第２処理部Ｃ２のシート積載トレイ５１に積載される。なお、以上のＦ１〜Ｆ２０の処理は１部の成果物を構成する所定枚数のシートについて並列的に進められ、所定枚数のうちの最終シートがシート積載トレイ５１に積載されると、第２処理部Ｃ２による綴じ処理及び折り処理が行われる。
【００８３】
綴じ処理及び折り処理の両方を行う場合（Ｆ２１）、つまり中綴じの場合、綴じ処理ユニット４２によってシート束を綴じ（Ｆ２２）、折りブレード５６及び折りローラ対５２によって折り畳んだ状態（Ｆ２３）のシート束が排出される（Ｆ２４）。シート束を綴じずに折り処理のみを行う場合、折りブレード５６及び折りローラ対５２によって折り畳んだ状態（Ｆ２３）のシート束が排出される（Ｆ２４）。
【００８４】
一方、第２処理部Ｃ２以外の処理部でシートを処理することが指定されている場合、シート処理装置Ｃ０はシート断裁装置Ｂ０から受け取ったシートを適切な処理部に搬送し、処理後のシート又はシート束が排出される（Ｆ２５）。例えば、ポスターのような折りなし１枚ものの成果物を出力するジョブの場合、シート断裁装置Ｂ０で断裁処理されたシートは１枚ずつシート処理装置Ｃ０の積載トレイ４６（図１）に排出される。ただし、画像形成システムのシステム構成に応じて、折りなし１枚ものの成果物を他の積載トレイ（例えばシート断裁装置Ｂ０に取り付けた積載トレイ）に排出するようにしてもよい。
【００８５】
以上の動作の流れにおいて、シート断裁装置Ｂ０がシートを断裁しない場合の動作について詳しく説明する。
【００８６】
画像形成装置Ａ０からシート断裁装置Ｂ０に受け渡されたシートの先端が先端／後端カッタ部３０５へ到達したとき、シートの搬送は停止されず、シートはそのまま先端／後端カッタ部３０５を通過する（Ｆ６）。このとき、図３のギロチン刃３０５ａは搬送パス３１０よりも上方の待避位置に予め待避させられる。なお、図３の構成例では待避位置が搬送パスの上方に設定されているが、シートに接触しない位置であればギロチン刃３０５ａを例えば下方に待避させてもよい。
【００８７】
次にシート先端が天地カッタ部３０７に到達したとき、図４のカッタ刃３０７ａ及び突き当てコマ３０７ｂは、画像形成制御部Ａ０１から断裁制御部Ｂ０１に通知されるシートのサイズ情報に基づいて、予めホームポジションに待避させられる（Ｆ１２）。即ち、通知されたシート幅の両側端の位置から幅方向の外側に所定のマージンを設けた位置まで、各組のカッタ刃３０７ａ及び突き当てコマ３０７ｂが移動させられる。
【００８８】
その後、シート後端が先端／後端カッタ部３０５へ到達したときも、シートの搬送は停止されず、シートはそのまま先端／後端カッタ部３０５を通過する（Ｆ１６）。このとき、図３のギロチン刃３０５ａはシートに接触しない位置まで予め待避させられる。
【００８９】
このように、本実施例では、シート断裁装置Ｂ０の搬送パス３１０にシートを搬送方向及び幅方向に断裁する２つの断裁手段（３０５、３０７）を配置すると共に、シートの断裁を行わない場合にはシートの通過領域から待避させる構成とした。これにより、簡易な構成で、シートを１枚ずつ任意の位置で断裁する汎用性の高い画像形成システムの構成が実現される。
【００９０】
なお、図１０に示す動作の流れでは、シート断裁装置Ｂ０がシートの四辺の裁ち代を除去してトリミングを行うための断裁処理を実行可能であることを説明した。しかし、本実施例のシート断裁装置Ｂ０は、１枚ずつ搬送されるシートを任意の位置及び方向で断裁処理を行うことを可能とする。そのため、例えば、画像形成装置Ａ０において名刺を原紙に割り付け印刷した後、シート断裁装置Ｂ０によって原紙を断裁して搬送方向及び幅方向に分割し、規格に従うサイズの名刺を得ることもできる。また、画像形成装置Ａ０において画像形成された１枚のシートを、シート断裁装置Ｂ０において２枚以上に分割した上で、シート処理装置Ｃ０において束ねてシート束とする動作を実行することもできる。
【実施例２】
【００９１】
実施例２は、実施例１に対して、天地カッタ部３０７によるシートの断裁を行わない場合の制御の内容が異なる実施例である。以下、実施例１と重複する要素の説明は割愛する。
【００９２】
図１１は、画像形成システム１００における動作の流れを示すフローチャートである。画像形成装置Ａ０及びシート処理装置Ｃ０の動作並びにシート断裁装置Ｂ０の先端／後端カッタ部３０５の動作に関する工程Ｆ１〜Ｆ９、Ｆ１３〜Ｆ２４の処理内容は、図１０を用いて説明した実施例１に係る各工程の処理内容と同様である。
【００９３】
シート先端部の断裁に関するＦ４〜Ｆ９の処理の後、シートの天地部の断裁量（主走査方向の裁ち代）に応じて天地カッタ部３０７による断裁処理が行われる。天地部の断裁量が０でない場合（Ｆ３１）、図４のカッタ刃３０７ａが断裁量に応じた位置までシートの両端位置の内側に侵入した状態で、シートに天地カッタ部３０７を通過させる（Ｆ３２）。これにより、断裁量に対応する断裁位置で搬送方向に沿ってシートが断裁される。
【００９４】
一方、天地部の断裁量が０に設定されている場合（Ｆ３１）、つまり天地部の断裁処理を行わない旨の指示が与えられている場合、図４のカッタ刃３０７ａを直前のシートの幅に依存する待避位置に待避させる処理を行う（Ｆ３３〜Ｆ３５）。つまり、本実施例では第１シートに続いて第２シートがシート断裁装置Ｂ０の搬送パス３１０を通過する場合において、第１シートの幅に依存して、第２シートを通過させる際にカッタ刃３０７ａ（第２切断刃）を退避させる位置を変更する。
【００９５】
具体的には、今回のシートの幅が直前のシートの幅未満である場合は、カッタ刃３０７ａを、直前のシートが天地カッタ部３０７を通過した際の位置に待機させたままの状態で今回のシートに天地カッタ部３０７を通過させる（Ｆ３４）。一方、今回のシートの幅が直前のシートの幅以上である場合は、カッタ刃３０７ａを、直前のシートが天地カッタ部３０７を通過した際の位置から、今回のシートの幅に画像形成制御部Ａ０１から指示される逃がし量を加えた位置まで幅方向の外側に待避させる。そして、カッタ刃３０７ａを新たな待避位置に待避させた状態で、今回のシートに天地カッタ部３０７を通過させる（Ｆ３５）。なお、「直前のシートが天地カッタ部３０７を通過した際の位置」とは、直前のシートに対してカッタ刃３０７ａが断裁を行った場合の断裁位置、及び直前のシートに対してもカッタ刃３０７ａが待避させられていた場合の待避位置のどちらでもよい。
【００９６】
以上の動作により天地カッタ部３０７のカッタ刃３０７ａの移動量を最小限に抑えることができ、より高い生産性を確保することができる。
【００９７】
（変形例）
上記実施例１、２において、シート断裁装置Ｂ０は水平方向における画像形成装置Ａ０とシート処理装置Ｃ０との間に設置される、所謂床置き型のオプション装置として説明した。しかしながら、例えば画像形成装置Ａ０がいわゆる胴内排出型の構成である場合に、画像形成装置Ａ０の胴内排出空間にシート断裁装置Ｂ０を設置してもよい。胴内排出型の構成とは、鉛直方向における画像形成ユニットＡ１と画像読取装置との間に排出空間が形成されており、画像形成ユニットＡ１によって画像形成されたシートを当該排出空間に排出するものである。
【００９８】
また、上述の実施形態では、シートを搬送方向に断裁する天地カッタ部３０７が、シートを幅方向に断裁する先端／後端カッタ部３０５に対して搬送パス３１０におけるシート搬送方向の下流側に配置されている。天地カッタ部３０７はシートを搬送しながら断裁することが可能であるため、この配置関係は、先端／後端カッタ部３０５によって短く断裁されたシートを安定して断裁できる利点がある。特に、天地カッタ部３０７の回転軸３０７ｃ、３０７ｄ（図４）にシートを挟持して搬送するためのローラを取り付けることで、名刺のようなごく短いシートをも安定して処理することが可能である。ただし、使用目的に応じて、天地カッタ部３０７を先端／後端カッタ部３０５の上流側に配置してもよい。また、例えば先端／後端カッタ部として複数のギロチン刃を配置し、搬送方向における複数の位置で同時にシートを断裁できるようにしてもよい。
【００９９】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１００】
４６…積載トレイ／１００…画像形成システム／３０５…第１断裁手段（先端／後端カッタ部）／３０５ａ…第１切断刃（ギロチン刃）／３０７…第２断裁手段（天地カッタ部）／３０７ａ…第２切断刃（カッタ刃）／３１０…搬送路（搬送パス）／３１２…受入口／３１３…排出口／３１９…回収容器（屑ボックス）／Ａ０…画像形成装置／Ａ０１，Ｂ０１，Ｃ０１…制御手段（画像形成制御部、断裁制御部、後処理制御部）／Ａ１…装置本体（画像形成ユニット）／Ａ２，Ａ３…画像読取装置（スキャナーユニット、フィーダーユニット）／Ｂ０…断裁装置（シート断裁装置）／Ｃ０…シート処理装置
【図１】
2020199635.tif 000003
【図２】
2020199635.tif 000004
【図３】
2020199635.tif 000005
【図４】
2020199635.tif 000006
【図５】
2020199635.tif 000007
【図６】
2020199635.tif 000008
【図７】
2020199635.tif 000009
【図８】
2020199635.tif 000010
【図９】
2020199635.tif 000011
【図１０】
2020199635.tif 000012
【図１１】
2020199635.tif 000013